(57)【要約】  転換型印刷物収集アセンブリ１０が回転可能な布担持ロッド上に巻き付けられた収集布１１を含む。支持脚１３はプリンター１８に傾動可能に接続された下端部を有し、収集布の長手方向に傾動可能である。伸張ロック機構１５、１６が、布担持ロッドの回転を解放しまたはロックするように配置されている。安定化ブラケット１４が支持脚１３を少なくとも一つの傾動角度に固定する。伸張ロック機構１５、１６は収集布１１を伸張し、ロック状態にある場合に平坦な伸張形状に保持するように作動可能であり、それによって印刷物のための受け取りデスクを提供する。さらに、収集布１１は布担持ロッドから巻き出された場合、収集バッグを形成する。【選択図】図１
2021515735.tif 000002
【特許請求の範囲】
【請求項１】
転換型印刷物収集アセンブリであって：
長手方向および横断方向を有する収集布であって、その長手方向の一端において布の横断方向に延びる回転可能な布担持ロッドに固定され巻き付けられ、その他端において横方向固定ロッドに固定されており、プリンターの出力部から印刷物を受け取る収集布；
プリンターに傾動可能に接続され、収集布の長手方向に傾動可能である支持脚；
支持脚に結合された安定化ブラケット；
布担持ロッドを回転させるように布担持ロッドに関連付けられ、それによりリリース状態では布担持ロッドを解放して回転させ、ロック状態では布担持ロッドをロックして回転させない伸張ロック機構を含み；
関連する伸張ロック機構を備えた布担持ロッドか、横方向固定ロッドの一方は、支持脚の上端に接続して支持され、他方はプリンターの出力部の近くに配置され；
安定化ブラケットは、収集布が少なくとも部分的に布担持ロッドから巻き出されている少なくとも一つの傾動角度において支持脚を固定し；
伸張ロック機構は、収集布を伸張し、伸張された収集布をロック状態において平坦な伸張形状に保持するよう動作可能であり；および
伸張ロック機構は、収集布を布担持ロッドからリリースし巻き出して収集バッグを形成するよう動作可能である、印刷物収集アセンブリ。
【請求項２】
関連する伸張ロック機構を備えた布担持ロッドはプリンターの出力部の近くに配置され、そして横方向固定ロッドは支持脚の上端に接続して支持される、請求項１の印刷物収集アセンブリ。
【請求項３】
安定化ブラケットは支持脚を第一の傾動角度および第二の傾動角度において固定し、収集布は、第一の傾動角度において平坦な伸張形状を形成するよりも多く布担持ロッドから巻き出された場合に収集バッグを形成し、そして第二の傾動角度において収集布は、伸張ロック機構が収集布を伸張するよう作動されまたロック状態にある場合に平坦な伸張形状を形成する、請求項１の印刷物収集アセンブリ。
【請求項４】
支持脚はプリンター支持ベースに装着される下端部にヒンジ部材を有し、支持脚は収集布の長手方向においてヒンジ部材に対して傾動可能である、請求項１の印刷物収集アセンブリ。
【請求項５】
関連する伸張ロック機構を備えた布担持ロッドはプリンターの出力部の近くに配置され、そして横方向固定ロッドは支持脚の上端に接続して支持され、そして伸張ロック機構はチューブを含み、布担持ロッドはチューブ内に回転可能に設けられており、チューブは布の横断方向に延びる細長いスロットまたは開口部を有し、そこを通って布がチューブから出てくる、請求項１の印刷物収集アセンブリ。
【請求項６】
伸張ロック機構は、布担持ロッドの一端に接続された歯車と、歯車に対して固定された位置にある一つまたはより多くの弧状の板バネを含み、歯車および少なくとも一つの板バネは布担持ロッドの長手方向において相互に相対的に変位可能であり、かくして第一の相対位置において歯車および少なくとも一つの板バネはロック状態において相互に係合してロック状態において布担持ロッドが回転しないようにロックし、そして第二の相対位置において歯車および少なくとも一つの板バネはリリース状態において相互に離脱して布担持ロッドを解放して回転させる、請求項１の印刷物収集アセンブリ。
【請求項７】
伸張ロック機構はチューブを含み、布担持ロッドはチューブ内に回転可能に設けられており、伸張ロック機構はチューブの一端部と布担持ロッドとの間で作動可能に配置され、伸張ロック機構は、布担持ロッドの一端に接続された歯車と、チューブに対して接続された一つまたはより多くの弧状の板バネを含み、歯車および少なくとも一つの板バネは布担持ロッドの長手方向において相互に相対的に変位可能であり、かくして第一の相対位置において歯車および少なくとも一つの板バネはロック状態において相互に係合してロック状態において布担持ロッドが回転しないようにロックし、そして第二の相対位置において歯車および少なくとも一つの板バネはリリース状態において相互に離脱して布担持ロッドを解放して回転させる、請求項１の印刷物収集アセンブリ。
【請求項８】
伸張ロック機構はチューブを含み、布担持ロッドはチューブ内に回転可能に設けられており、伸張ロック機構はチューブの一端部と布担持ロッドとの間で作動可能に配置され、伸張ロック機構は、布担持ロッドの一端に接続された歯車と、チューブに対して接続された一つまたはより多くの弧状の板バネを含み、歯車および少なくとも一つの板バネは布担持ロッドの長手方向において相互に相対的に変位可能であり、かくして第一の相対位置において歯車および少なくとも一つの板バネはロック状態において相互に係合してロック状態において布担持ロッドが回転しないようにロックし、そして第二の相対位置において歯車および少なくとも一つの板バネはリリース状態において相互に離脱して布担持ロッドを解放して回転させ、そして伸張ロック機構の歯車はチューブの一端から突出する作動ノブに接続されており、作動ノブを布担持ロッドの長手方向に動かすことによって歯車は第一の相対位置と第二の相対位置の間で少なくとも一つの板バネに対して変位可能である、請求項１の印刷物収集アセンブリ。
【請求項９】
伸張ロック機構はチューブを含み、布担持ロッドはチューブ内に回転可能に設けられており、伸張ロック機構はチューブの一端部と布担持ロッドとの間で作動可能に配置され、伸張ロック機構は、布担持ロッドの一端に接続された歯車と、チューブに対して接続された一つまたはより多くの弧状の板バネを含み、歯車および少なくとも一つの板バネは布担持ロッドの長手方向において相互に相対的に変位可能であり、かくして第一の相対位置において歯車および少なくとも一つの板バネはロック状態において相互に係合してロック状態において布担持ロッドが回転しないようにロックし、そして第二の相対位置において歯車および少なくとも一つの板バネはリリース状態において相互に離脱して布担持ロッドを解放して回転させ、そして伸張ロック機構の歯車はチューブの一端から突出する作動ノブに接続されており、作動ノブを布担持ロッドの長手方向に動かすことによって歯車は第一の相対位置と第二の相対位置の間で少なくとも一つの板バネに対して変位可能であり、そして一つの作動ノブが布担持ロッドの端部の各々に備えられており、それらの作動ノブの両方が歯車に結合され、かくして歯車は作動ノブの各々によって布担持ロッドの長手方向に変位可能である、請求項１の印刷物収集アセンブリ。
【請求項１０】
支持脚は第一の伸縮部および第二の伸縮部を含む伸縮式の脚であり、支持脚は収集布の長手方向に傾動可能であり、第二の伸縮部の上端部は関連する伸張ロック機構を備えた布担持ロッドまたは横方向固定ロッドに接続されて支持を行う、請求項１の印刷物収集アセンブリ。
【請求項１１】
転換型印刷物収集アセンブリを有するプリンターであって、転換型印刷物収集アセンブリは：
長手方向および横断方向を有する収集布であって、その長手方向の一端において布の横断方向に延びる回転可能な布担持ロッドに固定され巻き付けられ、その他端において横方向固定ロッドに固定されており、プリンターの出力部から印刷物を受け取る収集布；
プリンターに傾動可能に接続され、収集布の長手方向に傾動可能である支持脚；
支持脚に結合された安定化ブラケット；
布担持ロッドを回転させるように布担持ロッドに関連付けられ、それによりリリース状態では布担持ロッドを解放して回転させ、ロック状態では布担持ロッドをロックして回転させない伸張ロック機構を含み；
関連する伸張ロック機構を備えた布担持ロッドか、横方向固定ロッドの一方は、支持脚の上端に接続して支持され、他方はプリンターの出力部の近くに配置され；
安定化ブラケットは、収集布が少なくとも部分的に布担持ロッドから巻き出されている少なくとも一つの傾動角度において支持脚を固定し；
伸張ロック機構は、収集布を伸張し、伸張された収集布をロック状態において平坦な伸張形状に保持するよう動作可能であり；および
伸張ロック機構は、収集布を布担持ロッドからリリースし巻き出して収集バッグを形成するよう動作可能であり；
支持脚はプリンター支持ベースに装着されたヒンジ部材によって接続される下端部を有し、支持脚は収集布の長手方向においてヒンジ部材によって傾動可能であり、
ヒンジ部材はプリンター支持ベースから離れて傾動した少なくとも一つの角度位置において支持脚を保持する形状を有し、そして
支持脚の上端部は、関連する伸張ロック機構を備えた布担持ロッドまたは横方向固定ロッドに接続されて支持を行う、プリンター。
【請求項１２】
支持脚に結合された安定化ブラケットは安定化アームであり、これは一端で支持脚に接続され、そして他端でプリンター支持ベースに接続されており、安定化アームは支持脚の長手方向、またはプリンター支持ベース上に延びる細長いレールの長手方向、または両方で摺動し、かくしてプリンター支持ベースに対する支持脚の傾動に対応する、請求項１１のプリンター。
【請求項１３】
支持脚に結合された安定化ブラケットは安定化アームであり、これは一端で支持脚に接続され、そして他端でプリンター支持ベースに接続されており、安定化アームはヒンジ要素によって支持脚に接続されており、安定化アームは支持脚の長手方向、またはプリンター支持ベース上に延びる細長いレールの長手方向、または両方で摺動し、また安定化アームは別のヒンジ要素によってプリンター支持ベースまたはプリンター支持ベース上で延びる細長いレールに対して接続され、かくしてプリンター支持ベースに対する支持脚の傾動に対応する、請求項１１のプリンター。
【請求項１４】
関連する伸張ロック機構を備えた布担持ロッドはプリンターの出力部の近くに配置され、横方向固定ロッドは支持脚の上端部に接続して支持され、関連する伸張ロック機構を備えた布担持ロッドはプリンターの出力部の近くに配置され、横方向固定ロッドは支持脚の上端部に接続して支持され、そして伸張ロック機構はチューブを含み、布担持ロッドはチューブ内に回転可能に設けられ、そしてチューブは布の横断方向に延びる細長いスロットまたは開口部を有し、そこを通って布がチューブから出てくる、請求項１１のプリンター。
【請求項１５】
伸張ロック機構はチューブを含み、布担持ロッドはチューブ内に回転可能に設けられており、伸張ロック機構はチューブの一端部と布担持ロッドとの間で作動可能に配置され、伸張ロック機構は、布担持ロッドの一端に接続された歯車と、チューブに対して接続された一つまたはより多くの弧状の板バネを含み、歯車および少なくとも一つの板バネは布担持ロッドの長手方向において相互に相対的に変位可能であり、かくして第一の相対位置において歯車および少なくとも一つの板バネはロック状態において相互に係合してロック状態において布担持ロッドが回転しないようにロックし、そして第二の相対位置において歯車および少なくとも一つの板バネはリリース状態において相互に離脱して布担持ロッドを解放して回転させ、そして伸張ロック機構の歯車はチューブの端部から突出する作動ノブに接続されており、そして作動ノブを布担持ロッドの長手方向に動かすことによって歯車は第一の相対位置と第二の相対位置の間で少なくとも一つの板バネに対して変位可能である、請求項１１のプリンター。
【発明の詳細な説明】
【背景技術】
【０００１】
プリンターは、印刷物がプリンターから出てくる出力部を有している。典型的には、印刷物は所与の材料および大きさのシート状材料である。印刷物収集アセンブリは、プリンターの出力部からの印刷物を収集する。数ある中でも、印刷物は平坦な表面上に収集され、または布材料から形成されたバッグに収集されることができる。印刷物は一枚のシートであることができ、または複数枚のシートをスタックに収集することができる。
【図面の簡単な説明】
【０００２】
添付の図面は、本願に記載する原理の種々の例を示すものであり、本明細書の一部をなしている。示されている例は単に説明のために与えられており、請求項の範囲を限定するものではない。
【０００３】
図１は、一つの例に従う印刷物収集アセンブリを有するプリンターを幾らか単純化して示す斜視図であり、そこでは印刷物収集アセンブリは、収集布が平坦な伸張形状にある形態で示されている。
【０００４】
図１Ａは、別の例に従う印刷物収集アセンブリを有するプリンターの斜視図であり、そこでは印刷物収集アセンブリは、収集布が平坦な伸張形状にある形態で示されている。
【０００５】
図２は、一つの例に従う印刷物収集アセンブリを有するプリンターの、図１におけるのと類似した斜視図であり、そこでは印刷物収集アセンブリは、収集布が収集バッグを形成する形態で示されている。
【０００６】
図３は、一つの例に従う印刷物収集アセンブリの詳細部分の、幾らか単純化した部分斜視図であり、支持脚、安定化ブラケット、およびプリンター上に設けられるヒンジ部材を示している。
【０００７】
図４は、一つの例に従う印刷物収集アセンブリの詳細部分の、幾らか単純化した部分斜視図であり、印刷物収集アセンブリの布担持ロッドに対して布を巻き上げ、巻き出し、そして伸張させる伸張ロック機構を示している。
【０００８】
図５ａおよび図５ｂは、印刷物収集アセンブリの布を巻き上げ、巻き出し、そして伸張させる、図４に示されたところに類似する伸張ロック機構の詳細部分の、幾らか単純化した部分斜視図であり、そこにおいて図５ａは伸張ロック機構を、伸張ロック機構が収集布を布担持ロッドから解放して巻き出すよう動作可能なリリース状態において示し、そして図５ｂは伸張ロック機構を、伸張ロック機構が収集布を伸張させ収集布を平坦な伸張形状に保持するよう動作可能なロック状態において示している。
【０００９】
図面全体を通じて、同一の参照番号は、必ずしも同一とは限らないが、類似した要素を指定している。
【発明を実施するための形態】
【００１０】
図１は、一つの例に従う印刷物収集アセンブリ１０を有するプリンター１８を示している。この転換型印刷物収集アセンブリ１０は、長手方向および横断方向を有する収集布１１を含んでいる。
【００１１】
図５ａ、図５ｂに詳細に示されているように、収集布１１はその長手方向の一端において、布の横断方向に延びる回転可能な布担持ロッド１９に固定され、巻き付けられている。図５ａ、図５ｂの例においては、布担持ロッド１９は伸張ロック機構１５、１６に結合されており、後述するように、これは収集布１１を伸張させ、また収集布１１を平坦な伸張形状に保持するように動作可能である。
【００１２】
図１の例に戻ると、収集布１１はその他端において、横方向固定ロッド１７に固定されている。収集布１１は、プリンターの出力部から印刷物を受け取る。プリンターからの印刷物は、例えば、所与の材料および大きさのシート状材料であってよい。一般的に言って、印刷物収集アセンブリ１０は、プリンターの出力部からの印刷物を収集するためのものであって、その場合に特に、印刷物は収集布１１によって形成された平坦な表面上に収集されることができ、または印刷物は、やはり布１１によって形成されたバッグ内に収集されることができる。印刷物は例えば、一枚のシートであることができ、またはスタックに収集されてよい複数枚のシートであることができる。
【００１３】
一つの例では、図１に示されているように、印刷物収集アセンブリ１０は支持脚１３を有し、これらはプリンター１８に対して、特にプリンター支持ベース１２に対して接続されており、また収集布の長手方向に傾動可能である。一つの例では、支持脚１３はその端部の少なくとも一つに、例えばプリンター支持ベース１２に装着される下端部に配置されたヒンジ部材１３ｃを有し、それによって支持脚１３はヒンジ部材１３ｃに対して、収集布１１の長手方向に傾動可能とされている。図１、図１Ａの例においては、プリンター支持ベース１２は、回転キャスター１２ｂ上に設けられた横脚部材１２ａを有している。
【００１４】
さらに一つの例では、また図１、図１Ａに示されているように、支持脚１３は伸縮式の脚であって第一および第二の伸縮部１３ａ、１３ｂを含んでおり、支持脚１３は収集布の長手方向に傾動可能である。第一の伸縮部１３ａの下端部はヒンジ部材１３ｃに接続されている。図１の例においては、第二の伸縮部１３ｂの上端部は、横方向固定ロッド１７に接続されて支持を行っている。他方、図１Ａの例においては、第二の伸縮部１３ｂの上端部は、付随する伸張ロック機構１６を備えた布担持ロッド１９に接続されている。
【００１５】
安定化ブラケット１４が支持脚１３に結合されている。一つの例では、図１、図１Ａ、図２に示されているように、安定化ブラケット１４は安定化アームであり、これは一端で支持脚１３に接続され、そして他端でプリンター支持ベース１２に接続されており、ここで安定化アーム１４はヒンジ要素１４ａによって支持脚１３に接続されている。
【００１６】
一つの例では、安定化アーム１４は支持脚１３の長手方向に摺動するよう取着されている。一つの例では、安定化アーム１４はプリンター支持ベース１２上に延びる細長いレール１４ｃの長手方向に摺動するよう取着されている。別の例では、安定化アーム１４は：支持脚１３の長手方向；およびプリンター支持ベース１２上に延びる細長いレール１４ｃの長手方向の両方に摺動するよう取着されている。一つの例では、安定化アーム１４は別のヒンジ要素１４ｂによって、プリンター支持ベース１２またはプリンター支持ベース１２上に延びる細長いレール１４ｃに接続されており、かくしてプリンター支持ベース１２に対する支持脚１３の傾動に対応するようになっている。
【００１７】
図１の伸張ロック機構１５、１６は、布担持ロッド１９を回転させるように布担持ロッド１９と関連付けられており、それによってリリース状態においては布担持ロッド１９を解放して回転するようにさせ、またロック状態においては布担持ロッド１９を回転しないようにロックする。図１Ａに示された例ではチューブ１５を有していない、図１Ａの伸張ロック機構１６は、同様の仕方において布担持ロッド１９を回転させるように関連付けられており、リリース状態においては布担持ロッド１９を解放して回転するようにさせ、またロック状態においては布担持ロッド１９を回転しないようにロックする。
【００１８】
一般的に、関連する伸張ロック機構１５、１６（図１）または１５（図１Ａ）を備えた布担持ロッド１９か、横方向固定ロッド１７の一方が、支持脚１３の上端に接続されて支持され、そして他方はプリンター１８の出力部の近くに配置される。
【００１９】
一つの例では、図１および図２に示されているように、関連する伸張ロック機構１５、１６を備えた布担持ロッド１９はプリンター１８の出力部の近くに配置され、そして横方向固定ロッド１７は支持脚１３の上端に接続されて支持される。
【００２０】
別の例では、図１Ａに示されているように、関連する伸張ロック機構１６を備えた布担持ロッド１９は支持脚１３の上端に接続されて支持され、そして横方向固定ロッド１７はプリンター１８の出力部の近くに配置される。
【００２１】
一つの例では、図１および図２に示されているように、伸張ロック機構１５、１６はチューブ１５を含み、その中には布担持ロッド１９が回転可能に設けられ、そしてその場合にチューブ１５は布１１の横断方向に延びる細長いスロットまたは開口部１５ａを有し、そこを通って布１１はチューブ１５から出てくる。
【００２２】
一つの例では、伸張ロック機構１５、１６はチューブ１５を含み、その中には布担持ロッド１９が回転可能に設けられる。一つの例では図１に示すように、伸張ロック機構１５、１６は任意選択的に、チューブ１５の一端部と布担持ロッド１９との間で回転をリリース（解放）またはロックするように動作する。
【００２３】
一つの例では、図４、図５ａ、図５ｂに示されているように、伸張ロック機構１５、１６は、布担持ロッド１９の一端に接続された歯車１６ａと、概略的に１６ｃとして示した固定要素によってチューブ１５に接続された一つまたはより多くの弧状の板バネ１６ｂとを含んでいる。
【００２４】
図示された例においては、歯車１６ａおよび少なくとも一つの板バネ１６ｂは、布担持ロッド１９の長手方向において相互に相対的に変位可能であり、かくして第一の相対位置において歯車１６ａおよび少なくとも一つの板バネ１６ｂはロック状態において相互に係合して、布１１が弛むようになる回転に関して布担持ロッド１９が回転しないようにロックし、すなわち歯車１６ａと少なくとも一つの板バネ１６ｂはラチェット型のような仕方で協働する。第二の相対位置において歯車１６ａおよび少なくとも一つの板バネ１６ｂはリリース状態において相互に離脱して、布担持ロッド１９を解放して任意の方向に回転するようにさせる。
【００２５】
一つの例では、歯車１６ａは、チューブ１５の一端から突出する作動ノブ１６ｄに接続されている。作動ノブ１６ｄを布担持ロッド１９の長手方向に動かすことにより、歯車１６ａは第一の相対位置と第二の相対位置の間で、少なくとも一つの板バネ１６ｂに対して変位可能である。加えて一つの例では、バネ１９ｃが布担持ロッド１９の内部キャビティ１９ｂに収容されていてよく、このバネ１９ｃがロッド１９の回転を一方向に偏倚する。
【００２６】
一つの例では、一つの作動ノブ１６ｄが布担持ロッド１９の端部の各々に備えられており、それらの作動ノブ１６ｄの両方が歯車１６ａに結合され、かくして後者は作動ノブ１６ｄの各々によって、布担持ロッド１９の長手方向に変位可能とされている。
【００２７】
伸張ロック機構１５、１６は、伸張ロック機構１５、１６がロック状態にある場合には、図１および図１Ａに示されているように、収集布１１を伸張させ、そしてそれを平坦な伸張形状に保持するように作動可能である。
【００２８】
他方、伸張ロック機構１５、１６は、図１の例について図２に示すように、収集布１１を布担持ロッド１９から解放し巻き出して収集バッグを形成するように作動可能である。収集バッグを形成した後、伸張ロック機構１５、１６はロック状態へと持ち来たらされて、布担持ロッド１９からの布１１のさらなる巻き出しを防止してよく、または布１１が布の長手方向端部が固定された布担持ロッド１９から完全に巻き出されている場合には、伸張ロック機構１６はリリース状態にとどまってよい。
【００２９】
図１Ａの例においては、収集バッグは同様の仕方で形成され、その場合に伸張ロック機構１６（この例ではチューブ１５を含んでいない）は、収集布１１を布担持ロッド１９から解放し巻き出して収集バッグを形成するよう作動可能である。
【００３０】
一つの例では、安定化ブラケットまたはアーム１４は支持脚を少なくとも一つの傾動角度で固定するものであり、その場合に収集布１１は、少なくとも部分的に布担持ロッド１９から巻き出されている。
【００３１】
一つの例では、支持脚１３の下端部をプリンターまたはプリンターのベース１２に接続するヒンジ部材１３ｃは、支持脚１３をプリンターから離れるよう傾いた、少なくとも一つの傾動角度に保持する形状を有している。
【００３２】
一つの例では、図３に示されているように、ヒンジ部材１３ｃは支持脚１３を三つの異なる傾動角度に保持する形状を有している：一つは収集布１１が平坦な伸張形状に保持されることができるように、プリンター１８から最も離れて傾動した角度であり、一つは巻き出された収集布１１が収集バッグを形成することができるように、中間にある角度であり、そして一つは転換型印刷物収集アセンブリ１０について収納位置を形成する、プリンター１８に近い角度である。
【図１】
2021515735.tif 000003
【図１Ａ】
2021515735.tif 000004
【図２】
2021515735.tif 000005
【図３】
2021515735.tif 000006
【図４】
2021515735.tif 000007
【図５ａ】
2021515735.tif 000008
【図５ｂ】
2021515735.tif 000009
【国際調査報告】
2021515735.tif 000010